【手続補正書】
【提出日】平成24年10月18日(2012.10.18)
【手続補正１】
【補正対象書類名】特許請求の範囲
【補正対象項目名】全文
【補正方法】変更
【補正の内容】
【特許請求の範囲】
【請求項１】
画像データを分割し、該分割された画像データのうちの第一の画像データに対して、前記第一の画像データの境界外の画素の値を推定する画像境界外推定手段と、
前記第一の画像データに隣接する前記分割された画像データのうちの第二の画像データおよび前記画像境界外推定手段にて推定した画素の値を参照して、前記第二の画像データに対してフィルタ処理を行い、前記第二の画像データに対するフィルタ処理後の画像データを生成する生成手段と
を有し、
前記生成手段は、前記第二の画像データにおける画像境界からの距離に応じて、前記第二の画像データと前記推定した画素の値との参照比率を変化させることを特徴とする画像処理装置。
【請求項２】
前記第一の画像データ及び前記第二の画像データを取得する隣接連続画像取得手段を更に有し、
前記隣接連続画像取得手段は、前記分割された画像データに付されている画素情報および付加情報を基に隣接連続する画像データであるか否かを判定し、
隣接連続する画像データであれば、前記第一の画像データ及び前記第二の画像データとして、前記画像境界外推定手段、及び前記生成手段を適用する
ことを特徴とすることを特徴とする請求項１に記載の画像処理装置。
【請求項３】
前記生成手段におけるフィルタ処理は、Ｇａｕｓｓｉａｎフィルタを用いた処理であることを特徴とする請求項１または２に記載の画像処理装置。
【請求項４】
前記生成手段におけるフィルタ処理は、前記画像データに対してサイズが異なるぼかしフィルタを用いることを特徴とする請求項１乃至３のいずれか一項に記載の画像処理装置。
【請求項５】
前記生成手段は、前記ぼかしフィルタの種類に応じて、前記第二の画像データと前記推定した画素の値との参照比率を決定することを特徴とする請求項４に記載の画像処理装置。
【請求項６】
分割された前記画像データのうち、ぼかし処理を適用する第一の画像データと前記第一の画像データの直前に隣接連続する第二の画像データのそれぞれに対して、当該画像データの画像境界外の画素の値を推定する画像境界外推定手段と、
前記第一の画像データ、前記第二の画像データ、および前記画像境界外推定手段にて推定した推定画素の値を参照して、サイズの異なるぼかしフィルタを用いて複数のぼかし処理を行い、前記第一の画像データに対する複数のぼかし画像データを生成するぼかし画像生成手段と、
前記ぼかし画像生成手段より生成した複数のぼかし画像を所定の比率で合成し、１つの画像データを生成する画像合成手段と
を有し、
前記推定画素は、前記第一の画像データと前記第二の画像データそれぞれに応じて、当該画像データの画像境界の画素に連続する値を有する画素であり、
前記ぼかし画像生成手段は、
前記ぼかし処理において、対応する前記第一の画像データの画素と前記第二の画像データの推定画素とを参照する際、前記第二の画像データにおける画像境界から離れるほど、前記第二の画像データの推定画素の値に対する参照の重み付けを徐々に減少させ、
前記第二の画像データにおける画像境界から離れるほど、前記第一の画像データの画素の値に対する参照の重み付けを徐々に増加させ、
各画素の値に対する当該重み付けに応じた加重平均を参照する画素値とすることを特徴とする画像処理装置。
【請求項７】
前記第一の画像データ及び前記第二の画像データを取得する隣接連続画像取得手段を更に有し、
前記隣接連続画像取得手段は、前記分割された画像データに付されている画素情報および付加情報を基に隣接連続する画像データであるか否かを判定し、
隣接連続する画像データであれば、前記第一の画像データ及び前記第二の画像データとして、前記画像境界外推定手段、及び前記ぼかし画像生成手段を適用することを特徴とする請求項６に記載の画像処理装置。
【請求項８】
前記ぼかし画像生成手段における前記ぼかし処理は、Ｇａｕｓｓｉａｎフィルタを用いた処理であることを特徴とする請求項６または７に記載の画像処理装置。
【請求項９】
前記ぼかし画像生成手段は、
前記第一の画像データの画素と前記第二の画像データの推定画素とが重複する画素を参照する際、前記第二の画像データの推定画素の値に対する重み付け、および前記第一の画像データの画素の値に対する重み付けの計算方法を、前記複数のぼかし処理にて用いる前記ぼかしフィルタの種類に応じて所定の計算方法のうちから決定し、画像生成をすること、
を特徴とする請求項６乃至８のいずれか一項に記載の画像処理装置。
【請求項１０】
画像データを分割し、該分割された画像データのうちの第一の画像データに対して、前記第一の画像データの境界外の画素の値を推定する画像境界外推定工程と、
前記第一の画像データに隣接する前記分割された画像データのうちの第二の画像データおよび前記画像境界外推定工程にて推定した画素の値を参照して前記第二の画像データに対してフィルタ処理を行い、前記第二の画像データに対するフィルタ処理後の画像データを生成する生成工程と、
を有し、
前記生成工程において、前記第二の画像データにおける画像境界からの距離に応じて、前記第二の画像データと前記推定した画素の値との参照比率を変化させることを特徴とする画像処理方法。
【請求項１１】
分割された前記画像データのうち、ぼかし処理を適用する第一の画像データと前記第一の画像データの直前に隣接連続する第二の画像データのそれぞれに対して、当該画像データの画像境界外の画素の値を推定する画像境界外推定工程と、
前記第一の画像データ、前記第二の画像データ、および前記画像境界外推定工程にて推定した推定画素の値を参照して、サイズの異なるぼかしフィルタを用いて複数のぼかし処理を行い、前記第一の画像データに対する複数のぼかし画像データを生成するぼかし画像生成工程と、
前記ぼかし画像生成工程より生成した複数のぼかし画像を所定の比率で合成し、１つの画像データを生成する画像合成工程と
を有し、
前記推定画素は、前記第一の画像データと前記第二の画像データそれぞれに応じて、当該画像データの画像境界の画素に連続する値を有する画素であり、
前記ぼかし画像生成工程では、
前記ぼかし処理において、対応する前記第一の画像データの画素と前記第二の画像データの推定画素とを参照する際、前記第二の画像データにおける画像境界から離れるほど、前記第二の画像データの推定画素の値に対する参照の重み付けを徐々に減少させ、
前記第二の画像データにおける画像境界から離れるほど、前記第一の画像データの画素の値に対する参照の重み付けを徐々に増加させ、
各画素の値に対する当該重み付けに応じた加重平均を参照する画素値とすることを特徴とする画像処理方法。
【請求項１２】
請求項１乃至９のいずれか一項に記載の画像処理装置の各手段としてコンピュータを機能させるためのプログラム。
【手続補正２】
【補正対象書類名】明細書
【補正対象項目名】発明の名称
【補正方法】変更
【補正の内容】
【発明の名称】画像処理装置、画像処理方法、及びプログラム
【手続補正３】
【補正対象書類名】明細書
【補正対象項目名】００１２
【補正方法】変更
【補正の内容】
【００１２】
上記課題を解決するために、本発明は以下の構成を有する。すなわち、画像データを分割し、該分割された画像データのうちの第一の画像データに対して、前記第一の画像データの境界外の画素の値を推定する画像境界外推定手段と、前記第一の画像データに隣接する前記分割された画像データのうちの第二の画像データおよび前記画像境界外推定手段にて推定した画素の値を参照して、前記第二の画像データに対してフィルタ処理を行い、前記第二の画像データに対するフィルタ処理後の画像データを生成する生成手段とを有し、前記生成手段は、前記第二の画像データにおける画像境界からの距離に応じて、前記第二の画像データと前記推定した画素の値との参照比率を変化させることを特徴とする。